(57)【要約】      （修正有）【課題】防水効果を備える靴アッパーを提供する。【解決手段】予備成型の支持体２と、メッシュ生地３を加熱加圧し融合によって構成する。支持体を予備成型のときに、メッシュ生地と熱融合される面２１を密閉層として一体成型することによって、靴アッパーの支持体に防水効果を持たせる。【選択図】図４
0003210177.tif 000002
【実用新案登録請求の範囲】
【請求項１】
防水効果を備える靴アッパーであって、
予備成型のＫＰＵ支持体と、メッシュ生地を加熱加圧融合して構成され、前記ＫＰＵ支持体を予備成型するときに、前記メッシュ生地と熱融合される面を密閉層として一体成型することによって、前記靴アッパーのＫＰＵ支持体に防水効果を持つことを特徴とする、防水効果を備える靴アッパー。
【考案の詳細な説明】
【技術分野】
【０００１】
本考案は靴アッパーに関し、特に防水効果を備えるＫＰＵ靴アッパーに関する。
【背景技術】
【０００２】
ＫＰＵ(Polyurethane; http://jp.made-in-china.com/co_lxglobal/product_Kpu-PU-Running-Shoes-Making-Machine_eosuogehg.html)の概略的な生産プロセスは、プラスチック部材を金型に平らに塗布して熱圧加工により初歩的に成型した後に、メッシュ生地を取り付けて加圧、加熱を行い、金型から離型した後室温またはオーブンにて硫化し完成する。従来技術と異なるところは、所要なパターンや縞模様を金型によって一括成型できる。ミシンや縞模様の貼り合わせ等の二次加工プロセスが不要である。さらに、縞模様と色調は視覚的なインパクトを有しているために、若い消費者層に大変喜ばれている。Ｎｉｋｅ  Ａｉｒ  Ｍａｘシリーズ（登録商標）製品が市場で非常に大きい反響が得られていることがその一つの例である。また、その関連の特許も以下に示す通り、多数に存在している。
【０００３】
特許文献１（図１）によれば、ダブルリング換気ノット構造の運動靴であって、靴アッパーにダブルヘリカル状のＫＰＵシート体を形成し、前記シート体の下方は、くり貫き状の換気窓をドットマトリックス状に配置されている。
さらに、特許文献２（図２）によれば、超軽量の運動靴であって、前記運動靴はＫＰＵ金型によって、つつみ層を形成し、つつみ層にくり貫き構造の換気窓を設けられている。
もう一つの特許文献３（図３）によれば、滑り止めの運動靴であって、靴アッパーと、靴ソールとを備え、前記靴アッパーがＫＰＵ部材によって、突起模様を一括に印字して形成される。
【０００４】
以上に取り上げた公知技術は、ＫＰＵ部材にパターンや縞模様を一括印字することによって、美観効果を有すると共に、靴アッパーが安定に支え働きを発揮できるほか、ダイヤモンド状格子に配列されたくり貫きの換気窓による換気効果が軽量化と美観、快適感を兼ね合わせている。
【先行技術文献】
【特許文献】
【０００５】
【特許文献１】中国実用新案第２０１０２０１５９６１０．３号明細書
【特許文献２】中国実用新案第２０１０２０１５９６３１．５号明細書
【特許文献３】中国実用新案第２０１４２０７２６５４１．８号明細書
【考案の概要】
【考案が解決しようとする課題】
【０００６】
本考案人は靴類の専業メーカーであり、前述ＫＰＵ技術を充分に把握しているため、軽量化と美観、快適機能の他に、多様効果を創造しＫＰＵの多様性を浮き彫りできる余地があることに思いついた。よって、長年に蓄積された製造経験に基づき、多方面に評価、研究、試作及び修正の結果、本考案による防水効果を備える靴アッパーを提供することに至った。
【課題を解決するための手段】
【０００７】
前述目的を達成するため、本考案より防水効果を備える靴アッパーを提供する。予備成型のＫＰＵ支持体と、メッシュ生地を加熱加圧融合して構成される。ＫＰＵ支持体を予備成型のときに、メッシュ生地と熱融合される面を密閉層として一体成型することによって、靴アッパーのＫＰＵ支持体に防水効果を持つ特徴を有する。
【考案の効果】
【０００８】
本考案によれば、非常に簡潔な構造をもって、運動靴またはレジャーシューズに雨靴のような防水効果を提供できる。
【図面の簡単な説明】
【０００９】
【図１】特許文献１の構造を示す図である。
【図２】特許文献２の構造を示す図である。
【図３】特許文献３の構造を示す図である。
【図４】本考案のＫＰＵ靴アッパーによる構造の構造を示す図である。
【考案を実施するための形態】
【００１０】
図４、本考案のＫＰＵ靴アッパーによる構造の構造図を参照する。前述した公知技術に対して、予備成型するＫＰＵ支持体２と、メッシュ生地３を加熱加圧し融合によって構成されることに対して、本考案による靴アッパー１の特徴は、ＫＰＵ支持体２の予備成型のときに、その後にメッシュ生地３と熱融合接合面２１と、密閉層として一体成型される。換言すれば、公知技術において、換気効果のくり貫き窓を閉鎖して置く、よって、靴アッパーのＫＰＵ支持体が遮断効果を有し、水が公知技術のようにくり貫きの換気窓より侵入されない、これによって、防水効果を実現する。
【００１１】
ＫＰＵ支持体は密閉層によって、遮断効果を提供される一方、靴の換気性も損なわれることは事実である。しかし、運動靴やレジャーシューズのような短靴に適用されるもので、ブーツ形の雨靴に比べて、換気効果はなお受け入れられる範囲である。その反面に雨靴のような防水効果が提供されるので、実用面にはなんらの心配はない。
【００１２】
本考案によれば、非常に簡潔な構造をもって、運動靴またはレジャーシューズに雨靴のような防水効果を提供できる。よって、本考案の進歩性は、公知技術が及ばないものである。以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１３】
１            靴アッパー
２            ＫＰＵ支持体
２１            熱融合接合面
３            メッシュ生地
【図１】
0003210177.tif 000003
【図２】
0003210177.tif 000004
【図３】
0003210177.tif 000005
【図４】
0003210177.tif 000006
【手続補正書】
【提出日】平成28年12月8日(2016.12.8)
【手続補正１】
【補正対象書類名】明細書
【補正対象項目名】全文
【補正方法】変更
【補正の内容】
【考案の詳細な説明】
【技術分野】
【０００１】
本考案は靴アッパーに関し、特に防水効果を備えるＫＰＵ靴アッパーに関する。
【背景技術】
【０００２】
ＫＰＵ(Polyurethane; http://jp.made-in-china.com/co_lxglobal/product_Kpu-PU-Running-Shoes-Making-Machine_eosuogehg.html)の概略的な生産プロセスは、プラスチック部材を金型に平らに塗布して熱圧加工により初歩的に成型した後に、メッシュ生地を取り付けて加圧、加熱を行い、金型から離型した後室温またはオーブンにて硫化し完成する。従来技術と異なるところは、所要なパターンや縞模様を金型によって一括成型できる。ミシンや縞模様の貼り合わせ等の二次加工プロセスが不要である。さらに、縞模様と色調は視覚的なインパクトを有しているために、若い消費者層に大変喜ばれている。Ｎｉｋｅ  Ａｉｒ  Ｍａｘシリーズ（登録商標）製品が市場で非常に大きい反響が得られていることがその一つの例である。また、その関連の特許も以下に示す通り、多数に存在している。
【０００３】
特許文献１（図１）によれば、ダブルリング換気ノット構造の運動靴であって、靴アッパーにダブルヘリカル状のＫＰＵシート体を形成し、前記シート体の下方は、くり貫き状の換気窓をドットマトリックス状に配置されている。
さらに、特許文献２（図２）によれば、超軽量の運動靴であって、前記運動靴はＫＰＵ金型によって、つつみ層を形成し、つつみ層にくり貫き構造の換気窓を設けられている。
もう一つの特許文献３（図３）によれば、滑り止めの運動靴であって、靴アッパーと、靴ソールとを備え、前記靴アッパーがＫＰＵ部材によって、突起模様を一括に印字して形成される。
【０００４】
以上に取り上げた公知技術は、ＫＰＵ部材にパターンや縞模様を一括印字することによって、美観効果を有すると共に、靴アッパーが安定に支え働きを発揮できるほか、ダイヤモンド状格子に配列されたくり貫きの換気窓による換気効果が軽量化と美観、快適感を兼ね合わせている。
【先行技術文献】
【特許文献】
【０００５】
【特許文献１】中国実用新案第２０１０２０１５９６１０．３号明細書
【特許文献２】中国実用新案第２０１０２０１５９６３１．５号明細書
【特許文献３】中国実用新案第２０１４２０７２６５４１．８号明細書
【考案の概要】
【考案が解決しようとする課題】
【０００６】
本考案人は靴類の専業メーカーであり、前述ＫＰＵ技術を充分に把握しているため、軽量化と美観、快適機能の他に、多様効果を創造しＫＰＵの多様性を浮き彫りできる余地があることに思いついた。よって、長年に蓄積された製造経験に基づき、多方面に評価、研究、試作及び修正の結果、本考案による防水効果を備える靴アッパーを提供することに至った。
【課題を解決するための手段】
【０００７】
前述目的を達成するため、本考案より防水効果を備える靴アッパーを提供する。予備成型のＫＰＵの支持体と、メッシュ生地を加熱加圧融合して構成される。ＫＰＵの支持体を予備成型のときに、メッシュ生地と熱融合される面を密閉層として一体成型することによって、靴アッパーのＫＰＵの支持体に防水効果を持つ特徴を有する。
【考案の効果】
【０００８】
本考案によれば、非常に簡潔な構造をもって、運動靴またはレジャーシューズに雨靴のような防水効果を提供できる。
【図面の簡単な説明】
【０００９】
【図１】特許文献１の構造を示す図である。
【図２】特許文献２の構造を示す図である。
【図３】特許文献３の構造を示す図である。
【図４】本考案のＫＰＵ靴アッパーによる構造の構造を示す図である。
【考案を実施するための形態】
【００１０】
図４、本考案のＫＰＵ靴アッパーによる構造の構造図を参照する。前述した公知技術に対して、予備成型するＫＰＵの支持体２と、メッシュ生地３を加熱加圧し融合によって構成
されることに対して、本考案による靴アッパー１の特徴は、ＫＰＵの支持体２の予備成型のときに、その後にメッシュ生地３と熱融合接合面２１と、密閉層として一体成型される。換言すれば、公知技術において、換気効果のくり貫き窓を閉鎖して置く、よって、靴アッパーのＫＰＵの支持体が遮断効果を有し、水が公知技術のようにくり貫きの換気窓より侵入されない、これによって、防水効果を実現する。
【００１１】
ＫＰＵの支持体は密閉層によって、遮断効果を提供される一方、靴の換気性も損なわれることは事実である。しかし、運動靴やレジャーシューズのような短靴に適用されるもので、ブーツ形の雨靴に比べて、換気効果はなお受け入れられる範囲である。その反面に雨靴のような防水効果が提供されるので、実用面にはなんらの心配はない。
【００１２】
本考案によれば、非常に簡潔な構造をもって、運動靴またはレジャーシューズに雨靴のような防水効果を提供できる。よって、本考案の進歩性は、公知技術が及ばないものである。以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１３】
１            靴アッパー
２            ＫＰＵの支持体
２１            熱融合接合面
３            メッシュ生地
【手続補正２】
【補正対象書類名】実用新案登録請求の範囲
【補正対象項目名】全文
【補正方法】変更
【補正の内容】
【実用新案登録請求の範囲】
【請求項１】
防水効果を備える靴アッパーであって、
予備成型のＫＰＵの支持体と、メッシュ生地を加熱加圧融合して構成され、前記ＫＰＵの支持体を予備成型するときに、前記メッシュ生地と熱融合される面を密閉層として一体成型することによって、前記靴アッパーのＫＰＵの支持体に防水効果を持つことを特徴とする、防水効果を備える靴アッパー。
【手続補正書】
【提出日】平成29年3月3日(2017.3.3)
【手続補正２】
【補正対象書類名】実用新案登録請求の範囲
【補正対象項目名】全文
【補正方法】変更
【補正の内容】
【実用新案登録請求の範囲】
【請求項１】
防水効果を備える靴アッパーであって、
予備成型の支持体と、メッシュ生地を加熱加圧融合して構成され、支持体を予備成型するときに、前記メッシュ生地と熱融合される面を密閉層として一体成型することによって、前記靴アッパーの支持体に防水効果を持つことを特徴とする、防水効果を備える靴アッパー。